(57)【要約】      （修正有）【課題】航空機内の限られた空間を十分に利用するように構成された座席リクライニング機構を提供する。【解決手段】乗客用座席は、リクライニングすることができ、背もたれ４０に枢動可能に取り付けられたシートパン３８と、座席がリクライニングするときシートパンの角度を制御する非直線状案内路６０を画定するスプレッダ２４と、座席をリクライニングするためにスプレッダに対して水平方向に移動するように配置された駆動リンク５６と、を備える。スプレッダは、座席がリクライニングするとき背もたれの角度を制御する非直線状案内路を画定する背もたれリンケージ５４を移動させる。【選択図】図２
2017100721.tif 000002
【特許請求の範囲】
【請求項１】
リクライニングするように設計された航空機の乗客用座席であって、
背もたれに枢動可能に取り付けられたシートパンと、
前記航空機乗客用座席がリクライニングするとき前記シートパンの角度を制御するための第１非直線状案内路を画定する固定式スプレッダと、
前記航空機乗客用座席がリクライニングするとき前記固定式スプレッダに対して移動するように配置され、前記乗客用座席がリクライニングするとき前記背もたれの角度を制御するための第２非直線状案内路を画定する背もたれリンケージと、
前記航空機乗客用座席をリクライニングさせるために、前記固定式スプレッダに対して水平方向に移動するように配置された駆動リンクと、を備える、
前記航空機の乗客用座席。
【請求項２】
前記駆動リンクの第１端が前記シートパンの前方端に取り付けられており、
前記駆動リンクの第２端が前記背もたれリンケージの前記第２非直線状案内路に沿って移動し、
前記駆動リンクは、前記背もたれを水平にするために前記固定式スプレッダから離れて水平方向に動き、前記背もたれを鉛直にするために前記固定式スプレッダに向かって移動するように配置される、請求項１に記載の航空機の乗客用座席。
【請求項３】
背もたれに第１端で枢動可能に取り付けられ、前記背もたれリンケージに第２端で枢動可能に取り付けられた、背もたれリンクをさらに備え、
前記背もたれリンクは、前記背もたれがリクライニングするとき前記背もたれリンケージに向かう方向に、前記背もたれが直立位置に戻るとき前記背もたれリンケージから離れる方向に、枢動するように配置されている、請求項１に記載の航空機の乗客用座席。
【請求項４】
前記駆動リンクが前記固定式スプレッダに対して水平方向に移動するとき、前記背もたれリンケージの第２端が自由に上下に枢動するように、前記背もたれリンケージの第１端は前記固定式スプレッダに枢動可能に取り付けられている、請求項１に記載の航空機の乗客用座席。
【請求項５】
前記駆動リンクの水平方向の移動のためにシートパンの下方に配置されたリニアアクチュエータをさらに備える、請求項１に記載の航空機の乗客用座席。
【請求項６】
前記第１及び前記第２非直線状案内路が、前記航空機乗客用座席がリクライニングおよび直立位置に向かって移動するとき、前記シートパンと前記背もたれ間の角度の関係を制御するように形成されている、請求項１に記載の航空機の乗客用座席。
【請求項７】
前記シートパンと前記背もたれが、前記航空機乗客用座席がリクライニングするとき、固定式スプレッダに対して前方に移動する、請求項１に記載の航空機の乗客用座席。
【請求項８】
前記シートパンと前記背もたれの枢動軸と間隔を空け固定されて配置された第１ローラーが、前記シートパンの移動を制御するために前記固定式スプレッダの前記第１非直線状案内路に沿って動き、
前記駆動リンクに固定された第２ローラーが、前記駆動リンクが前記固定式スプレッダに対して水平方向に移動するとき、背もたれリンケージを動かすために前記背もたれリンケージの前記第２非直線状案内路に沿って移動する、請求項１に記載の航空機の乗客用座席。
【請求項９】
前方梁管と、中心梁管と、後方梁管とを介して相互接続される、左右に間隔が空けられて配置される固定スプレッダと、
前記前方梁管と、前記中心梁管と、前記後方梁管のうち１つ以上を介して接続された脚部と、をさらに備える、請求項１に記載の航空機の乗客用座席。
【請求項１０】
前記駆動リンクが前記固定式スプレッダに対して水平方向に移動するとき、前記背もたれリンケージが前記固定式スプレッダに対して枢動する、請求項１に記載の航空機の乗客用座席。
【請求項１１】
前記第１非直線状案内路が、前記航空機乗客用座席がリクライニングするとき前記シートパンの角度を制御するために形成されており、
前記第２非直線状案内路が、前記航空機乗客用座席がリクライニングするとき前記背もたれの角度を制御するために形成されている、請求項１に記載の航空機の乗客用座席。
【発明の詳細な説明】
【技術分野】
【０００１】
本発明は、全体として、リクライニング機能を有する航空機の乗客用座席に関し、より具体的には、座席をリクライニングするとき、背もたれとシートパンの関係を超えて、より良く制御やカスタマイズをすることを提供するための、移動する背もたれリンケージの枢動軸を有する航空機の乗客用座席に関する。
【背景技術】
【０００２】
航空機の乗客用座席は、典型的には快適性を高めるため、フライト中にリクライニングすることができるように構成される。乗客のスウィートに見られる座席のようなプレミアムそして高級な座席は、眠るために水平状態までリクライニングするように構成されていることがある。よりエコノミーな座席は、典型的には、座席の後ろの空間の制限のためリクライニングできる度合いが制限されている。
【発明の概要】
【発明が解決しようとする課題】
【０００３】
上記リクライニングシートにおいて、背もたれとシートパンは、典型的には、その枢動軸が固定されている態様で、枢動可能に取り付けられている。そのような配置においては、一方の座席面の動きは、好都合に他方面の動きを駆動するために使用されうるが、水平方向に枢動軸が固定されていると、特に、プライバシー用の固定式パーテーションが座席の後ろに配置されており、かつ枢動軸とパーテーション間の距離が短い座席においては、不都合にも背もたれのリクライニングの度合いが制限されてしまう。さらに、このように制限された空間の中で、背もたれとシートパンが枢動可能に取付けられることは、リクライニング動作中、有る一定の座席角度の達成することが制限される。したがって、要求されることは、限られた空間を十分に利用するように構成された座席リクライニング機構である。加えて、複雑性、コスト、そして追加的アクチュエータの重量なしで、固定式枢動座席においては達成できない座席の角度を達成するように構成された座席リクライニング機構もまた要求される。
【課題を解決するための手段】
【０００４】
第１実施例において、ここで提供されるのは、背もたれに枢動可能に取り付けられたシートパンと、シートパンの移動を案内するために配置された第１非直線状案内路を画定する固定式スプレッダと、固定式スプレッダに対して移動するように配置された背もたれリンケージと、座席をリクライニングするために固定式スプレッダに対して水平方向に移動するように配置された駆動リンクと、を備え、リクライニングするように構成されている航空機の乗客用座席である。
【０００５】
別の態様において、駆動リンクの第１端は、シートパンの前方端に取り付けられていてもよい。また、駆動リンクの第２端は、背もたれリンケージの第２非直線状案内路に沿って動いてもよい。
【０００６】
別の態様において、駆動リンクは、背もたれを水平にするために固定式スプレッダから離れる方向に水平方向に移動するように配置されてもよい。また、駆動リンクは、背もたれを鉛直にするために固定式スプレッダに向かって移動するように配置されてもよい。
【０００７】
別の態様において、航空機の座席は、背もたれの第１端に枢動可能に取り付けられ、そして背もたれリンケージの第２端に枢動可能に取り付けられた背もたれリンクを備えていてもよい。また、背もたれリンクは、航空機の乗客用座席をリクライニングするときに背もたれリンケージに向かう方向に、そして背もたれが上方に戻るときに背もたれリンケージから離れる方向に枢動可能に配置されている。
【０００８】
別の態様において、駆動リンクが固定式スプレッダに対して水平方向に移動するとき、背もたれリンケージの第２端は、上下に自由に枢動できるように、背もたれリンケージの第１端は、固定式スプレッダに枢動可能に取り付けられていてもよい。
【０００９】
別の態様において、航空機の座席は、駆動リンクを水平方向に移動させるためにシートパンの下方に配置されたリニアアクチュエータを備えていてもよい。
【００１０】
別の態様において、シートパンと背もたれ間の角度は、背もたれが水平方向に移動するにつれて増加してもよい。
【００１１】
別の態様において、シートパンと背もたれは、航空機の乗客用座席がリクライニングするにつれて、固定式スプレッダに対して前方に移動してもよい。
【００１２】
別の態様において、座席は、シートパンの移動を制御するため、固定式スプレッダの第１非直線状案内路に沿って移動するシートパンと背もたれの枢動に対して固定されて配置された第１ローラーを備えていてもよい。また、座席は、駆動リンクが固定式スプレッダに対して水平方向に移動するときに背もたれリンケージを動かすために、背もたれリンケージの第２非直線状案内路に沿って移動する駆動リンクに固定された第２ローラーを備えていてもよい。
【００１３】
別の態様において、座席は、前方梁管と中心梁管と後方梁管を横断して相互接続された左右に間隔が空けられて配置される固定式スプレッダを備えている。また、座席は、前方梁管と中心梁管と後方梁管のうち１つもしくはそれ以上を横断して接続された左右に間隔が空いた脚部を備えている。
【００１４】
別の態様において、駆動リンクが固定式スプレッダに対して水平方向に移動するとき、背もたれリンケージは固定式スプレッダに対して枢動してもよい。
【００１５】
別の態様において、第１非直線状案内路は、航空機の乗客用座席がリクライニングするときシートパンの角度を制御するために形成されていてもよい。また、第２非直線状案内路は、航空機の乗客用座席がリクライニングするとき背もたれの角度を制御するために形成されていてもよい。
【００１６】
本発明の他の実施例について、ここで、提供されるのは、リクライニングするように構成されている航空機の乗客用座席である。そして、航空機の乗客用座席は、背もたれに枢動可能に取り付けられたシートパンと、航空機の乗客用座席がリクライニングするときシートパンの角度を制御する非直線状案内路を画定しかつ航空機の乗客用座席がリクライニングするとき背もたれの角度を制御する非直線状案内路を画定する背もたれリンケージを移動させるスプレッダと、スプレッダの非直線状案内路に沿ってシートパンを動かすために配置され、かつ背もたれリンケージの非直線状案内路に沿って背もたれを動かすために配置された駆動リンクとを備えている。
【００１７】
別の態様において、スプレッダは、固定されていてもよく、背もたれリンケージは、スプレッダに枢動可能に取り付けられていてもよく、駆動リンクは、背もたれを水平にするために固定式スプレッダから離れて水平方向に移動するように、そして背もたれを鉛直にするために固定式スプレッダに向かって移動するように配置されていてもよい。
【００１８】
別の態様において、座席は、背もたれに対して第１端が枢動可能に取り付けられ、そして背もたれリンケージに対して第２端が枢動可能に取り付けられた背もたれリンクを備えていてもよい。背もたれリンクは、航空機の乗客用座席がリクライニングするとき背もたれリンケージの方向に、そして背もたれが直立位置に戻るときは背もたれリンケージから離れる方向に枢動するように配置される。
【００１９】
別の態様において、座席は、駆動リンクの水平方向の移動のために、シートパンの下方に配置されたアクチュエータを備えていてもよい。
【００２０】
航空機の座席は、上記特徴や態様のうち、１つもしくはそれ以上あるいはいくつかを組み合わせたものを備えていてもよい。
【図面の簡単な説明】
【００２１】
本発明の特徴、態様、利点は、図を参照しながら以下に示す本発明の詳細な説明を読むことで理解される。
【００２２】
【図１】直立着座位置における実施例における本発明の航空機の座席の側面図である。
【００２３】
【図２】中間リクライニング着座位置における本実施例の座席の側面図である。
【００２４】
【図３】他の中間リクライニング着座位置における本実施例の座席の側面図である。
【００２５】
【図４】ほぼ水平にリクライニングされた背もたれを示した本実施例の座席の側面図である。
【００２６】
【図５】水平状のベッドを形成するために十分にリクライニングされた状態を示した本実施例の座席の側面図である。
【発明を実施するための形態】
【００２７】
以下、本発明の例示的な実施形態を示す添付の図面を参照して、本発明をより完全に説明する。しかしながら、本発明は、多くの異なる形式で具現されてもよく、よって、本明細書に記載される典型的な実施形態に限定されるものとして解釈されるべきではない。これらの例示的な実施形態は、本開示が徹底的かつ完全なものとなり、かつ発明の範囲を十分に伝え、かつ一般的な当業者の一人が本発明を行い、使用しかつ実施できるように提供される。様々な図面を通じて、類似の参照数字は類似の要素を指す。
【００２８】
ここで、図面を参照すると、背もたれのリクライニングおよび移動機構が備わった航空機の乗客用座席が、全体として参照番号２０で示される。座席２０は、全体として、様々な座席位置を通して、座席を支持する固定式座席ベースフレーム２２を含む。固定式座席ベースフレーム２２は、全体として、横断梁チューブを介して相互接続される、左右に間隔が空けられたスプレッダ２４を含む。図示されるように、横断梁チューブは、スプレッダ２４の長さ方向に沿って水平方向に同一平面上に間隔を空けて配置された前方梁２６と中心梁２８と後方梁３０とを含む。左右の脚部３２は、座席を支持するためスプレッダ２４に取り付けられている。通常のレール用締結具、例えば、アンチラトル（ａｎｔｉ−ｒａｔｔｌｅ）レール用締結具３４が、脚部３２を床３６に固定するために使用されてもよい。動きを明確にするため全ての図において座席の一方の側面だけが図示されているが、座席は、座席が移動する範囲にわたって座席を四角形におよび平行に維持するために、様々な部品の左右両側のバージョンを含む。
【００２９】
座席２０は、背もたれ４０に対して枢動可能に取り付けられたシートパン３８をさらに含み、座席２０は、アクチュエータにより駆動されるレッグレスト４２を任意に含んでいてもよい。シートパン３８、背もたれ４０、任意のレッグレスト４２は、座席が直立位置とフルフラット（ｌｉｅ−ｆｌａｔ）座席位置間を移動するのに応じて、座面部が一緒に動くように、配置され相互接続される。座席のリクライニングは、好ましくはレッグレストの傾斜をつけながらの展開がシートパンの動きとは独立しながら、シートパンの移動により駆動されるとよい。座席２０は、固定式シェルあるいはパーテーション４４によって囲われていてもよいし、左右のひじかけ４６をさらに備えていてもよい。
【００３０】
左右のスプレッダ２４は、水平方向および鉛直方向に固定されており、それぞれがシートパンの移動を案内するために配置された非直線状案内路４８を画定する。図示するように、案内路４８は、実質上スプレッダ２４の長さ分伸びる実質弓形状の形を有している。案内路４８の両端は、案内路の最も高い縦方向の頂点となっており（すなわち、案内路は上方に開放している）、前方端は後方端よりも鉛直方向にわずかに高い位置にある。この配置において、シートパン３８の後方端は、心地よく座るための（ｃｒａｄｌｉｎｇ）座席位置を提供する中間リクライニング位置で最も低くなる。案内路４８は、シートパン３８及び背もたれ４０の枢動軸５２から固定された状態で間隔を空けられたローラー５０を案内する。ローラー５０が案内路４８の後方端から前方端に進むにつれて、シートパンの後方端が高い位置から出発し、下降していき、そして鉛直方向に上昇するように、シートパン３８は駆動リンクの接着点を軸に枢動する。案内路４８の形状、長さ、曲率は、シートパンの移動とシートパンの角度を制御できるようにカスタマイズしてもよい。
【００３１】
背もたれ４０は、背もたれリンケージ５４と背もたれリンク５６とを含むリンケージによって支持される。背もたれリンケージ５４は、背もたれの移動を案内するように、固定式スプレッダ２４に対して移動するように配置される。背もたれリンク５６は、その第１端が背もたれ４０に枢動可能に取り付けられており、その第２端が背もたれリンケージ５４に枢動可能に取り付けられている。背もたれリンク５６は、背もたれがリクライニングするにつれ背もたれリンケージ５４の方向に枢動し、背もたれが直立位置に戻るにつれて背もたれリンケージ５４から離れる方向に枢動するように配置される。背もたれリンケージ５４の第１端は、駆動リンク５８が固定式スプレッダ２４に対して水平方向に移動するにつれ背もたれリンケージの第２端が自由に上下に枢動できるように、固定式スプレッダ２４に枢動可能に取り付けられる。
【００３２】
背もたれリンケージ５４もまた、背もたれ４０の移動を案内し背もたれ４０の角度を制御するための非直線状案内路６０を画定する。非直線状案内路６０もまた、全体として弓形状であるが、下方に開放している。背もたれ４０が前方へリクライニングするとき、駆動リンク５８に固定されたローラー６２は、案内路６０に沿って案内路の後方端から前方端に向かって動き、それによってリクライニングする背もたれの角度を制御する。２つの案内路４８、６０のそれぞれの形状と経路の長さは、座席が動く範囲において、シートパン３８および背もたれ４０の角度とシートパン３８および背もたれ４０の関係を制御するためにカスタマイズできる。好ましい実施例において、座席は、多数と言えるほどの座席位置を達成するためにその移動する範囲において無段階に調整可能である。
【００３３】
駆動リンク５８は、座席を直立位置とフルフラット座席位置間で駆動させるために、固定式スプレッダ２４に対して水平方向に移動するように配置される。駆動リンク５８の前方端は、シートパン３８の前方端に取り付けられており、駆動リンクの後方端（すなわち第２端）は、案内路６０に沿って移動するように配置されたローラー６２を含む。駆動リンク５８が水平方向前方に（すなわち、固定式スプレッダ２４から離れる方向に）移動するにつれて、駆動リンクはシートパン３８を水平方向前方に引き、ローラー５０がシートパンの角度を制御する案内路４８に沿って移動する。同時に、背もたれ４０は、シートパン３８との間の枢動連結のため前方にシートパン３８と共に移動するとともに、背もたれリンケージ５４が移動するにつれて、背もたれ４０の角度は制御される。駆動リンク５８は、シートパン３８の下に配置され座席ベースフレームに固定されたリニアアクチュエータ６４を使用して水平方向に移動させてもよい。特定の実施例において、リニアアクチュエータ６４は、当業者に知られている直線運動をもたらすためのねじ式アクチュエータであってもよい。駆動リンク５８は、水平方向に固定式スプレッダ２４から離れる方向に移動し、水平方向へシートパン３８を「引き（ｐｕｌｌ）」、固定式スプレッダ２４に向かう方向に移動し、直立方向へシートパン３８を「押す（ｐｕｓｈ）」。
【００３４】
図１を参照すると、座席２０は、タキシング、離陸、着陸するとき（いわゆるＴＴＯＬ）のための直立座席位置にある状態が示される。直立座席位置において、シートパンと背もたれ間の角度の関係は、水平状態からシートパン３８までがおよそ２度であってもよいし、鉛直状態から背もたれ４０までがおよそ７．５度であってもよく、シートパン３８は乗客の座り心地がよくなる（ｃｒａｄｌｅ）よう後方に傾斜している。
【００３５】
図２を参照すると、座席２０がリクライニングするにつれ、シートパンと背もたれ間の角度との関係は、シートパン３８が水平状態からおよそ１５度、背もたれ４０が鉛直状態からおよそ３２度の位置にそれぞれ変化してもよい。
【００３６】
図３を参照すると、座席がリクライニングを継続するにつれ、シートパンと背もたれ間の角度との関係は、シートパン３８が水平状態からおよそ１３度、背もたれ４０が鉛直状態からおよそ５６度の位置にそれぞれ変化してもよい。
【００３７】
図４を参照すると、座席が水平状態に近くなったとき、シートパンと背もたれ間の角度との関係は、シートパン３８が水平状態からおよそ０度、背もたれ４０が鉛直状態からおよそ７７度の位置にそれぞれ変化してもよい。
【００３８】
図５を参照すると、座席が水平の就寝位置のとき、シートパンと背もたれ間の角度との関係は、シートパン３８が前方に傾斜した状態で、シートパン３８が水平方向から０度に近い例えば２度、背もたれ４０が鉛直方向からおよそ８８度の位置にそれぞれ変化してもよい。他の、中間リクライニング座席位置において、シートパンと背もたれ間の角度との関係は、案内路４８、６０の経路の形状および配置によって制御され決定される。例として、他の中間リクライニング座席位置において、シートパンと背もたれ間の角度との関係は、背もたれ４０がリクライニングを継続するにつれシートパンの角度を安定させる、第１案内路４８に沿ったより直線状移動をした結果として、それぞれ１２．５度および２５度であってもよいし、それぞれ１７．５度および４０度であってもよいし、それぞれ１７．５度および４７度であってもよい。
【００３９】
案内路４８、６０の形状は、座席がリクライニングするとき、シートパンと背もたれの角度を制御するようにカスタマイズできる。例えば、図示するように、固定式スプレッダ２４の案内路４８により、シートパンの後方端を上げたり下げたりすることによって座席がリクライニングするとき、シートパン３８の角度が変化する。案内路およびそれらの端の鉛直方向の位置は、座席がリクライニングするとき、シートパン３８と背もたれ４０の角度を制御するようにカスタマイズできる。様々なリンケージの枢動するように取り付ける位置および形状を変更することによって、シートパンと背もたれの角度の制御は、さらに制御できる。本発明より前は、座席の後方を押すことによってシートパンと背もたれを同時に上昇させることは、多数のアクチュエータを用いなければ達成可能でなかった。
【００４０】
本明細書では、例示によって発明の実施例を提供しているにすぎない。他の実施例では、類似した構成を実行および/または、類似した結果を達成してもよいことが想定される。任意の、そして均等に値する実施例や例が、本発明の範囲内である。
【図１】
2017100721.tif 000003
【図２】
2017100721.tif 000004
【図３】
2017100721.tif 000005
【図４】
2017100721.tif 000006
【図５】
2017100721.tif 000007
【外国語明細書】
2017100721000001.pdf
2017100721000002.pdf
2017100721000003.pdf
2017100721000004.pdf